(57)【要約】【課題】外した眼鏡を仮置き、再び掛けることが極めて簡単・安全にできるとともに、ディスプレイ用としても適し、その際試着も容易とする。【解決手段】横長の略長方形又は楕円形を呈する枠体６の、左右方向の中央部に前記枠体６の前辺と後辺とに渡って眼鏡８のブリッジ部８ｂを支持するブリッジ支持部６ａが架設され、このブリッジ支持部６ａの両側に眼鏡フレームの左右のレンズ枠８ａ，８ａの少なくともテンプル取付け部８ｃ，８ｃよりも下方部分がそれぞれに緩挿可能な中空部７，７が形成されているとともに、前記枠体６の前辺又は後辺の左右両端部に眼鏡８のテンプル８ｄ，８ｄを支持するテンプル支持部６ｂ，６ｂをそれぞれ設けた眼鏡置き部５と、前記眼鏡置き部５をほぼ水平状態で支持する支持部材４とからなることを特徴とする眼鏡スタンド１とする。【選択図】        図２
0003102827.tif 000002
【実用新案登録請求の範囲】
【請求項１】
横長の略長方形又は楕円形を呈する枠体の、左右方向の中央部に前記枠体の前辺と後辺とに渡って眼鏡のブリッジ部を支持するブリッジ支持部が架設され、このブリッジ支持部の両側に眼鏡フレームの左右のレンズ枠の少なくともテンプル取付け部よりも下方部分がそれぞれに緩挿可能な中空部が形成されているとともに、前記枠体の前辺又は後辺の左右両端部に眼鏡のテンプルを支持するテンプル支持部をそれぞれ設けた眼鏡置き部と、前記眼鏡置き部をほぼ水平状態で支持する支持部材とからなることを特徴とする眼鏡スタンド。
【請求項２】
前記中空部が平面楕円形である請求項１に記載の眼鏡スタンド。
【請求項３】
前記支持部材が、支柱とこの支柱の下部に設けられ前記支柱を立設保持する基台とからなる請求項１または２に記載の眼鏡スタンド。
【請求項４】
前記支持部材が、支柱とこの支柱の下部に設けられ前記支柱を立設保持するクリップとからなる請求項１または２に記載の眼鏡スタンド。
【請求項５】
前記支柱の先部が眼鏡置き部よりも突出していて、その先端に紙片挟持用のクリップを設けた請求項１，２，３または４に記載の眼鏡スタンド。
【考案の詳細な説明】
【０００１】
【考案の属する技術分野】
本考案は、眼鏡スタンドに係るもので、外した眼鏡を簡単、安全に置いておくことができるとともに、ディスプレイ用としても使用することのできる眼鏡スタンドの構造に関するものである。
【０００２】
【従来の技術】
パソコン操作時など掛けている眼鏡を一時的に或いは就寝時などに外した眼鏡を保管しておくために眼鏡スタンドとして、立設する筒状のものが知られているが、一時的に仮置きするためにいちいち外した眼鏡を折り畳む必要があり、きわめて面倒である。
【０００３】
そこで、折り畳むことなしに眼鏡を置いておくものとして、特開２００１−２２４４８６号公報に開示されているものなどが知られており、又ディスプレイ用のスタンドとしては、特開２０００−２５３９７３号公報に記載のものなどが知られている。
【０００４】
しかし、特開２００１−２２４４８６号公報に開示されているものは、眼鏡の向きを変えて枠にはめるなどの手間がかかり、特に掛けたり外したりの頻繁な老眼鏡の使用時などには不適切であるとともに、眼鏡の装着状態での様子がわかりにくいためディスプレイ用としては不向きである。また特開２０００−２５３９７３号公報に記載のものも蔓を嵌め入れる構造であるため取り外しが面倒で、試着などに不向きであるという問題点があった。
【０００５】
【考案が解決しようとする課題】
この考案は、従来の技術で述べた問題点を解消するためになされたもので、外した眼鏡を仮置き、再び掛けることが極めて簡単・安全にできるとともに、ディスプレイ用としても適し、その際試着も容易である眼鏡スタンドを提供することを課題とする。
【０００６】
【課題を解決するための手段】
そこで本考案は、横長の略長方形又は楕円形を呈する枠体の、左右方向の中央部に前記枠体の前辺と後辺とに渡って眼鏡のブリッジ部を支持するブリッジ支持部が架設され、このブリッジ支持部の両側に眼鏡フレームの左右のレンズ枠の少なくともテンプル取付け部よりも下方部分がそれぞれに緩挿可能な中空部が形成されているとともに、前記枠体の前辺又は後辺の左右両端部に眼鏡のテンプルを支持するテンプル支持部をそれぞれ設けた眼鏡置き部と、前記眼鏡置き部をほぼ水平状態で支持する支持部材とからなることを特徴とする眼鏡スタンドとした。
【０００７】
外した眼鏡をそのままの方向で眼鏡置き部に置くと、眼鏡のブリッジ部は前記ブリッジ支持部に支持され、左右のレンズ枠はそれぞれ中空部に嵌り、テンプルは前記テンプル支持部によって支持されることによって、前記課題を解決するための手段とした。
【０００８】
更に、前記構成において、前記支持部材を支柱とこの支柱の下部に設けられた基台もしくはクリップとからなる構成とし、或いはこれらにおいて支柱の先部が眼鏡置き部よりも突出していて、その先端に紙片挟持用のクリップを設けることとした。
【０００９】
【考案の実施の形態】
以下、本考案の実施の形態を図面に基づいて説明する。
【００１０】
図１乃至図３は本考案の好ましい実施の形態の一例を示すものであり、眼鏡スタンド１は基台２に支柱３が斜めに立設してなる支持部材４と眼鏡置き部５，５とからなっている。この眼鏡置き部５は、略長方形を呈する例えば硬質合成樹脂や木材などの硬質材により成型された板状の枠体６の左右方向の中央部に前記枠体６の前辺と後辺とに渡るブリッジ支持部６ａが架設されるとともに、このブリッジ支持部６ａの両側に平面楕円形の中空部７，７が形成され、この二つの中空部７，７はそれぞれの横幅が眼鏡８の左右のレンズ枠８ａ，８ａの横幅よりもやや大きく形成されている。また前記枠体６の前辺の左右両端には前後方向に幅広のテンプル支持部６ｂ、６ｂが形成されている。そして眼鏡置き部５は、枠体６の後辺の後端中央部を前記支柱３に固着することにより、上下二段にほぼ水平状態に支持されている。
【００１１】
この眼鏡スタンド１に眼鏡８を置くには、図２及び図３に示すように、眼鏡８を外したままの方向で、レンズ枠８ａ，８ａを中空部７，７に嵌めるように置く。すると眼鏡８のブリッジ部８ｂは枠体６に設けられたブリッジ支持部６ａに支持され、また眼鏡８の左右のレンズ枠８ａ，８ａのテンプル取付け部８ｃ，８ｃよりも下方部分が前記中空部７，７に嵌り、さらにテンプル８ｄ，８ｄのレンズ枠８ａ，８ａに近い部分が枠体６の左右両端に設けられたテンプル支持部６ｂ、６ｂに当接して支えられ、眼鏡８はほぼ水平に眼鏡置き部５に保持される。殊に、中空部７，７は平面楕円形であるため、通常湾曲しているレンズやレンズ枠が中空部７，７の内周面に当たったり引っ掛かることがない。
【００１２】
次に図４を用いて異なる実施の形態を説明する。この眼鏡スタンド１１は前述の眼鏡スタンド１と同様に支柱１３と眼鏡置き部１５，１５とからなり、さらに支柱１３の下端にはクリップ１２が設けられている。このクリップ１２は、眼鏡スタンド１１を所定の角度に保持したまま、例えばパソコンのディスプレイ部上端５などの板状部分を挟持することのできる挟持力と強度とを有している。
【００１３】
更に、図５は更に異なる実施の形態であり、眼鏡スタンド２１の支柱２３の先部が上段の眼鏡置き部２５よりも突出し、その先端に紙片などを挟むクリップ２８が設けられており、作業中等に必要なメモなど挟んでおけて便利である。
【００１４】
尚、上述の眼鏡スタンドはいずれも枠体の後辺の後端が支柱に固着する構成であるが、前辺の前端が支柱に固着する構成であってもよく、また上述の眼鏡スタンドは眼鏡置き部が上下二段に設けられ近視用眼鏡と老眼鏡のように二種類の眼鏡を使用する際に便利な構成となっているが、眼鏡置き部が一つである構成としてもよく、この場合はシンプルなデザインで安価なものとすることができる。
【００１５】
また図６は支持部材の異なる実施の形態であり、眼鏡スタンド３１は眼鏡置き部３５と、この眼鏡置き部３５の後辺後端中央部に設けられた吸盤からなる支持部材３４とからなっており、この支持部材３４は金属面、鏡などの平滑面に吸着させて眼鏡置き部３５を支持する。
【００１６】
尚、前記各実施の形態では、前記枠体６の前辺の左右両端には前後方向に幅広のテンプル支持部６ｂ、６ｂが形成されているため、眼鏡８を置いたときに、テンプル８ｄ，８ｄのレンズ枠８ａ，８ａに近い部分がテンプル支持部６ｂ、６ｂに当接テして支えられ、眼鏡８を安定した状態で保持できるが、図７に示すように比較的枠対６の幅が広い場合には、テンプル支持部６ｂ、６ｂを特別突設することを要しない。
【００１７】
また、図８に示す異なる実施の形態は、眼鏡スタンド４１が一つの眼鏡置き部４５を有し、支持部材４４が基台４２と上方がＶ字形に拡開した支柱４３とからなる構成となっており、眼鏡置き部４５は後辺が前記支柱４３の拡開した先部に固着することにより支柱４３に安定した状態で支持されている。そしてこの実施の形態では、眼鏡置き部４５と支柱４３がワイヤによって成形され、軽量でデザイン的に異なる雰囲気を提供する。
【００１８】
【考案の効果】
本考案は上述のように、外した眼鏡を仮置きするとき、向きを変えたり、折り畳んだりすることなく、そのまま眼鏡置き部に載せればよく、また掛けるときもそのまま持ち上げて掛けることができ、眼鏡の掛け外しが極めて簡単で、掛け外しの頻繁な作業時にも適する眼鏡スタンドとなった。また眼鏡をほぼ水平に保持するので装着状態を示すディスプレイ用としても適しており、その際には試着のために眼鏡を手に取るときも極めて簡単であるという効果を有する。しかも、使用中はいずれの場合も眼鏡のレンズ部分が眼鏡置き部の中空部に嵌っているため、簡単に眼鏡がずり落ちる心配もない。さらに中空部を平面楕円形とした場合は、眼鏡のレンズ部分を中空部に嵌める際に、特に傷つけたくないレンズ表面を中空部内周面に当てたり引っ掛けたりする心配がない。また、支柱の下部にクリップを設けた場合は基台により机上を狭めることが無く、眼鏡スタンドを倒してしまう心配も無い。さらに支柱の先端に紙片などを挟むクリップを設けた場合は、メモなどを挟んでおけて便利である。
【図面の簡単な説明】
【図１】本考案の第一の実施の形態を示す斜視図である。
【図２】本考案の第一の実施の形態における使用状態を示す斜視図である。
【図３】図２のＡ−Ａ線に沿う拡大縦断面図である。
【図４】本考案の第二の実施の形態を使用状態とともに示す側面図である。
【図５】本考案の第三の実施の形態の側面図である。
【図６】本考案の第四の実施の形態を示す斜視図である。
【図７】本考案の第五の実施の形態を示す側面図である。
【図８】本考案の第六の実施の形態を示す斜視図である。
【符号の説明】
１，１１，２１，３１，４１  眼鏡スタンド、３，１３，２３，４３  支柱、２，４２  基台、４，３４，４４  支持部材、５，１５，２５，３５，４５  眼鏡置き部、６  枠体、６ａ  ブリッジ支持部、６ｂ  テンプル支持部、７  中空部、１２  クリップ、２８  クリップ
【図１】
0003102827.tif 000003
【図２】
0003102827.tif 000004
【図３】
0003102827.tif 000005
【図４】
0003102827.tif 000006
【図５】
0003102827.tif 000007
【図６】
0003102827.tif 000008
【図７】
0003102827.tif 000009
【図８】
0003102827.tif 000010